(57)【要約】【課題】低コストで簡単に、多種多様な印象を与えることのできる陰影模様を形成することのできる、優れた加飾成形体の製法と、それによって得られる加飾成形体を提供する。【解決手段】蓋体４において、蓋板７を透明層８と非透明薄膜層９とで構成し、上記非透明薄膜層９の特定領域に対してＣＯ2 レーザを照射し、上記特定領域の非透明薄膜層９除去と、その下の透明層８の部分的な除去加工とを同時に行うことにより、上記特定領域に透かし模様Ｐを形成するようにした。【選択図】図１
2008290416.tif 000002
【特許請求の範囲】
【請求項１】
透明部材を成形してなる透明層と、上記透明層の表面の少なくとも一部もしくは裏面の少なくとも一部に形成された非透明薄膜層とを有する成形体を準備し、上記非透明薄膜層の特定領域に対してＣＯ2 レーザを照射し、上記特定領域の非透明薄膜層除去と、その下の透明層の部分的な除去加工とを同時に行うことにより、上記特定領域に陰影模様を形成するようにしたことを特徴とする加飾成形体の製法。
【請求項２】
透明部材を成形してなる透明層と、上記透明層の裏面の少なくとも一部に形成された金属薄膜層とを有する成形体を準備し、上記透明層表面の、上記金属薄膜層が形成された部分に対応する特定領域に対してＣＯ2 レーザを照射し、上記透明層の部分的な除去加工を行うことにより、上記特定領域に陰影模様を形成し、透明層を通して裏面の金属薄膜層に映すようにしたことを特徴とする加飾成形体の製法。
【請求項３】
上記特定領域に対するＣＯ2 レーザ照射において、線状溶融除去跡を密に並べて凹面を形成する第１の照射と、上記線状溶融除去跡より幅が太く深さの深い線状溶融除去跡からなる単一線を形成する第２の照射とを組み合わせるようにした請求項１または２記載の加飾成形体の製法。
【請求項４】
上記請求項１記載の製法によって得られる加飾成形体であって、透明部材を成形してなる透明層と、上記透明層の表面の少なくとも一部もしくは裏面の少なくとも一部に形成された非透明薄膜層とを有し、ＣＯ2 レーザの照射によって、上記非透明薄膜層の特定領域が除去されるとともにその下の透明層が部分的に除去加工されて、上記特定領域に陰影模様が形成されていることを特徴とする加飾成形体。
【請求項５】
上記請求項２記載の製法によって得られる加飾成形体であって、透明部材を成形してなる透明層と、上記透明層の裏面の少なくとも一部に形成された金属薄膜層とを有し、上記透明層表面の、上記金属薄膜層が形成された部分に対応する部分の特定領域が、ＣＯ2 レーザの照射によって部分的に除去加工されて、上記特定領域に陰影模様が形成され、この陰影模様が、透明層を通して裏面の金属薄膜層に映るようになっていることを特徴とする加飾成形体。
【請求項６】
上記特定領域における陰影模様が、ＣＯ2 レーザ照射による、線状溶融除去跡を密に並べて形成された凹面と、同じくＣＯ2 レーザ照射による、上記線状溶融除去跡より幅が太く深さの深い線状溶融除去跡からなる単一線とで構成されている請求項４または５記載の加飾成形体。
【発明の詳細な説明】
【技術分野】
【０００１】
本発明は、成形面の少なくとも一部に陰影模様を有する加飾成形体の製法およびそれによって得られる加飾成形体に関するものである。
【背景技術】
【０００２】
化粧料を収容したコンパクト容器や口紅容器等には、単に機能性だけでなく、見栄えがよい、商品イメージを反映したデザインである、といった意匠性も要求される。このような要求に応える技術として、例えば、コンパクト容器の蓋部に、接着剤を用いることなく装飾フィルムを一体化する技術が開示されている（特許文献１参照）。
【０００３】
また、蓋部の表面や裏面に設けられた薄膜層にレーザを照射し、その薄膜層に、微細な線や点で構成された図柄の透かし模様を形成する技術が開示されている（特許文献２、３参照）。
【特許文献１】特開２００１−２９２８２７公報
【特許文献２】特開２００６−３４６２３公報
【特許文献３】特開２００６−３３４１２２公報
【発明の開示】
【発明が解決しようとする課題】
【０００４】
しかしながら、上記特許文献１のように、装飾フィルムを用いたものは、経時的に装飾フィルム部が変質したり摩耗・損傷したりして、見栄えが悪くなるという問題がある。また、上記特許文献２のように、レーザで微細な透かし模様を形成したものは、美麗で耐久性にも優れているが、模様に立体感や陰影がなく、模様が単調になりやすいという問題がある。
【０００５】
これに対し、上記特許文献３のものは、レーザで形成される微細な透かし模様と凹凸模様が組み合わせられており、立体感があって非常に興趣に富むものである。しかし、このものは、インモールド転写成形等において、透かし模様形成予定部に、予め微細な凹凸形状を付与しておく必要があり、また、次工程において、上記凹凸形状付与部に、適正な配置でレーザによる透かし模様を付与しなければならず、工程が複雑で、製造コストがアップするという問題がある。
【０００６】
本発明は、このような事情に鑑みなされたもので、低コストで簡単に、多種多様な印象を与えることのできる陰影模様を形成することのできる、優れた加飾成形体の製法と、それによって得られる加飾成形体の提供をその目的とする。
【課題を解決するための手段】
【０００７】
上記の目的を達成するため、本発明は、透明部材を成形してなる透明層と、上記透明層の表面の少なくとも一部もしくは裏面の少なくとも一部に形成された非透明薄膜層とを有する成形体を準備し、上記非透明薄膜層の特定領域に対してＣＯ2 レーザを照射し、上記特定領域の非透明薄膜層除去と、その下の透明層の部分的な除去加工とを同時に行うことにより、上記特定領域に陰影模様を形成するようにした加飾成形体の製法を第１の要旨とする。
【０００８】
また、本発明は、透明部材を成形してなる透明層と、上記透明層の裏面の少なくとも一部に形成された金属薄膜層とを有する成形体を準備し、上記透明層表面の、上記金属薄膜層が形成された部分に対応する特定領域に対してＣＯ2 レーザを照射し、上記透明層の部分的な除去加工を行うことにより、上記特定領域に陰影模様を形成し、透明層を通して裏面の金属薄膜層に映すようにした加飾成形体の製法を第２の要旨とする。
【０００９】
さらに、本発明は、それらのなかでも、特に、上記特定領域に対するＣＯ2 レーザ照射において、線状溶融除去跡を密に並べて凹面を形成する第１の照射と、上記線状溶融除去跡より幅が太く深さの深い線状溶融除去跡からなる単一線を形成する第２の照射とを組み合わせるようにした加飾成形体の製法を第３の要旨とする。
【００１０】
そして、本発明は、上記第１の要旨である製法によって得られる加飾成形体であって、透明部材を成形してなる透明層と、上記透明層の表面の少なくとも一部もしくは裏面の少なくとも一部に形成された非透明薄膜層とを有し、ＣＯ2 レーザの照射によって、上記非透明薄膜層の特定領域が除去されるとともにその下の透明層が部分的に除去加工されて、上記特定領域に陰影模様が形成されている加飾成形体を第４の要旨とし、上記第２の要旨である製法によって得られる加飾成形体であって、透明部材を成形してなる透明層と、上記透明層の裏面の少なくとも一部に形成された金属薄膜層とを有し、上記透明層表面の、上記金属薄膜層が形成された部分に対応する部分の特定領域が、ＣＯ2 レーザの照射によって部分的に除去加工されて、上記特定領域に陰影模様が形成され、この陰影模様が、透明層を通して裏面の金属薄膜層に映るようになっている加飾成形体を第５の要旨とする。
【００１１】
また、本発明は、それらのなかでも、特に、上記特定領域における陰影模様が、ＣＯ2 レーザ照射による、線状溶融除去跡を密に並べて形成された凹面と、同じくＣＯ2 レーザ照射による、上記線状溶融除去跡より幅が太く深さの深い線状溶融除去跡からなる単一線とで構成されている加飾成形体を第６の要旨とする。
【発明の効果】
【００１２】
本発明は、透明層に積層された非透明薄膜層の特定領域に対してＣＯ2 レーザを照射して、上記特定領域の非透明薄膜層を除去し、同時に、その下の透明層をも部分的に除去加工することにより、非透明薄膜層で覆われた部分に透かし模様を形成すると同時に、その模様の開口から露出する透明層表面も凹状に加工して立体形状を付与し、結果として、陰影ある透かし模様を一工程で形成するようにしたことを第１の特徴とするものである。
【００１３】
また、本発明は、裏面側に金属薄膜層が形成された透明層の特定領域に対してＣＯ2 レーザを照射して、上記透明層の表面に、上記と同様にして立体的な陰影模様を形成し、その陰影模様を、透明層を介して裏面側の金属薄膜層に映すようにしたことを第２の特徴とするものである。
【００１４】
本発明の方法によれば、このような立体的な陰影模様（以下、陰影ある透かし模様も含めて「陰影模様」という）を、レーザ照射の一工程で形成することができ、製造の手間およびコストを大幅に削減することができる。しかも、上記レーザ照射の設定条件、陰影模様を形成する層と他の層の配置等を組み合わせることにより、全く異なる印象の陰影模様を付与することができることから、短期間で、ニーズに応じた多種多様な商品を納品することができるという利点を有する。
【００１５】
そして、本発明のなかでも、特に、上記特定領域に対するＣＯ2 レーザ照射において、線状溶融除去跡を密に並べて凹面を形成する第１の照射と、上記線状溶融除去跡より幅が太く深さの深い線状溶融除去跡からなる単一線を形成する第２の照射とを組み合わせるようにしたものは、微妙な凹凸を有する凹面に、輪郭線や強調線を加えた、複雑な印象の陰影模様を得ることができ、より興趣に富む加飾成形体を得ることができる。
【００１６】
また、本発明の製法によって得られる加飾成形体は、ごく薄い透明層に、立体的な陰影模様を有するものであり、その表面もしくは裏面に設けられた非透明薄膜層や金属薄膜層との組み合わせによって、非常に興趣に富む外観を有するものである。そして、その立体的な陰影模様は、耐久性に優れており、長期にわたってその外観が美麗に維持されるという利点を有する。
【発明を実施するための最良の形態】
【００１７】
つぎに、本発明を実施するための最良の形態について説明する。
【００１８】
図１は、本発明を実施するための最良の形態であるコンパクト容器の斜視図であり、図２は、そのＸ−Ｘ′断面図である。これらの図において、１は本体部で、その内側の向かって左側に設けられた凹部２には、ファンデーション等の化粧料が収容保持されるようになっている。また、向かって右側に設けられた凹部３には、化粧料を肌に塗布するためのパフが収容保持されるようになっている。
【００１９】
そして、上記本体部１の上部開口を蓋する蓋体４は、その分解斜視図である図４に示すように、その全面にアルミニウム蒸着膜が形成されて金属光沢を有する蓋枠体６と、その蓋枠体６の上面に嵌合一体化される蓋板７とで構成されている。
【００２０】
上記蓋枠体６の後端部には、下向きにヒンジ部６ａが突設されており、このヒンジ部６ａが本体部１の後端部を係合することにより、図１において鎖線で示すように、蓋体４が上方に開くようになっている。また、上記蓋枠体６の内側面には、鏡５が貼着されている（図２参照）。
【００２１】
上記蓋板７は、透明アクリル樹脂成形体からなる透明層８と、その裏面に形成された白色印刷層からなる非透明薄膜層９（以下、単に「薄膜層」という）とで構成されており、上記薄膜層９の一部が、以下に述べる特殊な方法によって除去されて透明層８が露出し、陰影ある透かし模様Ｐが付与されている。なお、上記透かし模様Ｐの一部を、図３に示す。
【００２２】
上記透かし模様Ｐは、例えばつぎのようにして得ることができる。すなわち、まず、蓋板７を賦形するための金型を用意する。そして、上記金型の、蓋板７の裏面を賦形する側に、白色転写フィルムを配置させた状態で金型を閉じ、透明層８の形成材料である透明アクリル樹脂材料を射出することにより成形を行う（インモールド転写成形）。これにより、図５に示すように、透明層８の裏面に白色の薄膜層９が一体的に形成された蓋板７を得ることができる。
【００２３】
つぎに、図６（ａ）に示すように、上記薄膜層９のうち、透かし模様Ｐをつくろうとする領域Ａの薄膜層９を、ＣＯ2 レーザの照射によって溶融除去し、さらに、薄膜層９の下（図面では上）の透明層８の露出表面を凹状に除去加工して、陰影ある透かし模様Ｐをつくる。上記領域Ａを、図６（ｂ）に示す。
【００２４】
上記ＣＯ2 レーザの照射条件は、上記領域Ａの薄膜層９全面を、面として除去するように設定される。より具体的には、線状の溶融除去跡が、密な間隔で平行に並ぶようレーザ光を走査して、領域Ａの薄膜層９全面を除去するようにする。したがって、この照射によって露出する透明層８の表面には、レーザ光の走査ピッチにもとづいて平行な凹条が並ぶことにより、微妙な波打ち模様の陰影を有する凹面となる。
【００２５】
なお、上記ＣＯ2 レーザの照射によって溶融除去する線状の溶融除去跡は、付与すべき陰影模様に応じて適宜に設定されるが、隣り合う溶融除去跡の間隔は、線状の溶融除去跡が、互いに重なり合う程度の密度となるよう設定することが好適である。ただし、本発明において、「溶融除去跡の深さ」とは、薄膜層９の表面から凹状に除去される透明層８の凹部底面までの深さをいい、図６（ａ）においては「Ｄ」、図７（ａ）においては「Ｄ′」でこれを示す。
【００２６】
つぎに、図７（ａ）に示すように、領域Ａの、薄膜層９全面が除去された部分に、さらに、透かし模様Ｐの輪郭線や、デザイン的にシャープな線を入れたい場合は、その部分を対象として、前記面除去の場合よりも鮮明な、線状の溶融除去跡を形成するために、ＣＯ2 レーザの照射を行う。これにより、透かし模様Ｐの輪郭が明確になるとともに、この例では、ダイヤモンドカットのエッジのようなシャープな切り込み線が入り、前記領域Ａの全面に形成された微妙な波打ち模様の陰影を有する凹面と相俟って、全体として、非常に陰影に富んだ透かし模様Ｐが得られる。
【００２７】
なお、この場合の、ＣＯ2 レーザの照射によって溶融除去する線状溶融除去跡は、前記面を凹状に除去するために、密な間隔で平行に形成した線状の溶融除去跡よりも、その幅が太く、深さが深くなるよう設定することが必要である。
【００２８】
この構成によれば、上記蓋板７の透かし模様Ｐから、その下の蓋枠体６の金属光沢面が透けて見え、しかも、透かし模様Ｐの全面に付与された微妙な波打ち模様の陰影と、シャープな輪郭線およびダイヤモンドカットのエッジを示すような線の陰影とが、下側の金属光沢面からの反射光を受けて輝くため、従来にない、斬新で美麗な印象を与える。
【００２９】
そして、上記透かし模様Ｐは、蓋板７の裏面側から形成されており、蓋板７の表面自体は、本来の平滑性が維持されているため、これらの模様が経時的に摩耗・損傷したり汚れたりすることがない。また、上記陰影ある透かし模様Ｐは、ＣＯ2 レーザの照射によって、簡単に形成することができ、大きなコストアップや製造ロットの制約を招くことがないという利点を有する。
【００３０】
なお、上記の例において、蓋板７の透明層８を構成する透明部材は、従来から容器等の成形品に用いられる透明部材であれば、どのようなものであってもよく、アクリル樹脂の他、例えば、ポリスチレン、ＡＢＳ樹脂、ポリカーボネート等があげられる。これらは、透かし模様Ｐの陰影を見せるために透明でなければならないが、無色である必要はなく、多少着色されていても、反対側が透けて見えるものであれば差し支えはない。
【００３１】
また、上記透明層８の裏面に形成される薄膜層９は、上記の例では、白色転写フィルムから転写される白色印刷層を用いたが、その材料は、特に限定するものではなく、従来から成形体の加飾に用いられる、どのような薄膜層９であっても差し支えない。ただし、上記透明層８との対比から、非透明でなければならず、着色フィルム（シート）の他、ホログラムシート、金属箔、金属蒸着層、塗料塗膜等、各種のものが用いられる。もちろん、上記薄膜層９の形成方法も、インモールド転写成形の他、蒸着、スパッタリング、メッキ、ホットスタンプ、コーティング等、その材質に応じて適宜の方法が採用される。なお、「非透明」とは、上記薄膜層９の除去部と非除去部とを対比した場合に、その見え方に差異があることが認識できる程度に透明でないことをいい、いわゆる「半透明」も含む趣旨で用いている。
【００３２】
なお、上記の例において、透かし模様Ｐの形成方法として、比較的浅く、凹状の面を形成するＣＯ2 レーザ照射と、比較的深く、単一線を形成するＣＯ2 レーザ照射とを組み合わせるようにしたが、必ずしもこの２つを組み合わせる必要はない。ただし、単一線を形成するＣＯ2 レーザ照射のみで透かし模様Ｐをつくった場合、透かし模様Ｐが、肉眼では線のみで構成されているように見え、あまり興趣に富む透かし模様Ｐとはならないことから、一定の面積を有する凹状の面を含む模様にすることが好適である。
【００３３】
また、上記の例では、まず凹面を形成するレーザ照射を行い、つぎに輪郭線等の単一線を形成するレーザ照射を行ったが、その順序は、逆であっても差し支えない。ただし、よりシャープな単一線を得るには、これを最後に形成する方が好ましい。
【００３４】
そして、上記の例では、裏面側に薄膜層９を有する透明層８からなる蓋板７に、裏面側から透かし模様Ｐを形成し、これを、金属光沢を有する蓋枠体６の上から被せて嵌合一体化したが、透明もしくは着色された蓋枠体６と、蓋板７の間に、金属箔やホログラム箔、あるいは他の光沢シート、着色シート等を挟み込んで嵌合するようにしても差し支えない。あるいは、上記金属箔等の、非透明素材を、透かし模様Ｐが形成された蓋板７の裏面側に、直接貼着するようにしてもよい。この場合、蓋体４を、蓋枠体６と蓋板８の２つの部材に分ける必要がなく、単一の部材にすることができる。
【００３５】
また、これらの着色シートや光沢シートを介在させるのではなく、蓋枠体６の上面に着色塗料を塗工して着色層を形成するようにしてもよい。あるいは、上記透かし模様Ｐの下側に、着色シート等の非透明層を介在させることなく、この透かし模様Ｐから、その下の、容器に収容される内容物の色等を見せるようにしても差し支えない。
【００３６】
もちろん、上記着色シート等を介在させる場合、これらを、蓋板７の裏面側に直接当てるのではなく、一定の空間を隔てて対峙させるようにしてもよい。例えば、図８に示すように、透かし模様Ｐが形成された蓋板７′（それ自体が蓋体）と、中蓋３０とを有するコンパクト容器等において、この中蓋３０の上に、上記着色シート等２０を挟むだけでも、前記の例と同様の効果を得ることができる。また、図９に示すように、上記中蓋３０の上面に、直接着色シート等２０を貼着したり、着色層を形成したりしても差し支えない。
【００３７】
さらに、上記透かし模様Ｐから透かして見える色が単一色である必要はなく、その下に配置する着色シート等の非透明素材の色を、部分的に変えることにより、透かし模様Ｐから見える色を、模様の部分部分で異なる色にすることができる。このようにすると、より鮮やかな印象を与えることができる。
【００３８】
また、上記一連の例では、蓋板７、７′において、透明層８の裏面側に設けられた薄膜層９に、透かし模様Ｐを形成して、その下側の色を透かして見るようになっているが、他の例として、透明層８の表面側に薄膜層９を設け、この薄膜層９に透かし模様Ｐを形成するようにしても差し支えない。
【００３９】
そして、本発明の、異なる例として、例えば、図１０（ａ）に示すように、透明層８の裏面側に金属薄膜層２１を設け、上記透明層８の表面に、前記と同様にして、ＣＯ2 レーザの照射による除去加工を施すことにより、陰影模様Ｐ′を施すようにしてもよい。この例によれば、図１０（ｂ）に示すように、上記陰影模様Ｐ′の陰影が、透明層８を介して、裏面側の金属薄膜層２１に映り、立体的な陰影が２重に見えるため、より興趣に富むものとなる。なお、図１０（ｂ）において、陰影模様Ｐ′が金属薄膜層２１に映った像をＱで示す。
【００４０】
さらに、本発明において、ＣＯ2 レーザの照射によって、線状溶融除去跡を繰り返し並べて形成することにより凹状の面をつくる場合、例えば図１１（ａ）に示すように、その線の走査方向の異なる面を組み合わせて配置させることにより、より印象深い陰影模様を得ることができる。また、例えば図１１（ｂ）に示すように、円や多角形の輪郭を有する面において、その中心から放射状に線状溶融除去跡を形成すると、面の中心から外側に拡がる印象の陰影模様を得ることができる。さらに、例えば図１１（ｃ）に示すように、縦横、あるいは斜めといった方向の異なる線状溶融除去跡を重ねることにより、より平滑な凹状面を得ることができる。
【００４１】
なお、これらの例は、本発明をコンパクト容器に適用したものであるが、本発明を適用する成形体は、容器に限らず、各種の樹脂成形体、あるいは樹脂成形体に他の部材を組み合わせた成形体等、特に限定するものではない。例えば、携帯電話、文房具、家電製品、各種ケース等に広く適用することができる。
【図面の簡単な説明】
【００４２】
【図１】本発明の一実施例の斜視図である。
【図２】図１のＸ−Ｘ′断面図である。
【図３】上記実施例における透かし模様の説明図である。
【図４】上記実施例における蓋体の分解斜視図である。
【図５】上記実施例における半透明部の形成方法の詳細説明図である。
【図６】（ａ）は、上記実施例における透かし模様の形成方法の説明図、（ｂ）はその透かし模様の平面図である。
【図７】（ａ）は、上記実施例における透かし模様の形成方法の説明図、（ｂ）はその透かし模様の平面図である。
【図８】本発明の他の実施例の説明図である。
【図９】本発明のさらに他の実施例の説明図である。
【図１０】（ａ）は、本発明の他の実施例における陰影模様の形成方法の説明図、（ｂ）はその陰影模様の見え方の説明図である。
【図１１】（ａ）〜（ｃ）は、いずれも本発明における模様形成方法の変形例の説明図である。
【符号の説明】
【００４３】
４  蓋体
７  蓋板
８  透明層
９  非透明薄膜層
Ｐ  透かし模様
【図１】
2008290416.tif 000003
【図２】
2008290416.tif 000004
【図３】
2008290416.tif 000005
【図４】
2008290416.tif 000006
【図５】
2008290416.tif 000007
【図６】
2008290416.tif 000008
【図７】
2008290416.tif 000009
【図８】
2008290416.tif 000010
【図９】
2008290416.tif 000011
【図１０】
2008290416.tif 000012
【図１１】
2008290416.tif 000013